(57)【要約】【課題】ケルトン式のスピーカーユニットに、容易に中高音域用のスピーカーユニットを追加でき、部品点数の増加が無く、工数のかからない、かつコストの上昇を抑えられるスピーカーシステムを提供する。【解決手段】低音域用スピーカーユニット２０の密封室２１と空気室２３との仕切り板と、密封室２１および空気室２３と中高音域用スピーカーユニット３０との仕切り板とが一つの部材である仕切り板４０で形成されているので、部品点数、工数、コストの削減が可能で、小型であっても低音域から高音域までの広い帯域を再生可能なスピーカーシステム１００を提供できる。【選択図】  図１
2013150126.tif 000002
【特許請求の範囲】
【請求項１】
低音域用スピーカーユニットと中高音域用スピーカーユニットとを備えたケルトン式のスピーカーシステムであって、
前記低音域用スピーカーユニットの密封室と空気室との仕切り板と、前記密封室および前記空気室と前記中高音域用スピーカーユニットとの仕切り板とが一つの部材で形成されている
ことを特徴とするスピーカーシステム。
【請求項２】
前記仕切り板は、前記低音域用スピーカーユニットの構成部材が、直接取り付けられる構造をしている
ことを特徴とする請求項１に記載のスピーカーシステム。
【発明の詳細な説明】
【技術分野】
【０００１】
本発明は、低音域用スピーカーユニットと中高音域用スピーカーユニットを組み合わせたスピーカーシステムに関する。
【背景技術】
【０００２】
スピーカーシステムは、家庭用音響機器、車載用音響機器だけでなく、パーソナルコンピュータ、携帯電話、ゲーム機等のさまざまな電子機器に広く使用されている。電子機器は軽薄短小化が進んでおり、スピーカーシステムに対しても、より小型化、および高性能化が求められている。高性能化としては、小型であってもより広い帯域の再生が求められる。
【０００３】
低音域の再生方法にはいろいろな方式のスピーカーシステムが提案されているが、その中でケルトン式と呼ばれる低音域用スピーカーシステムがある。これはバスレフ方式のスピーカーユニットの前面を密閉室で覆ってユニット前面の音をふさいで、空気室と共振ダクトによるヘルムホルツ共鳴を利用して、低音を増強する方式である。しかしながらこの方式だけでは低音域の再生しか出来ないことから、広い帯域の再生用に使用するには中高音域用スピーカーユニットを追加しなければならない。
【０００４】
中高音域用スピーカーユニットをケルトン方式の低音域用スピーカーシステムに追加する場合、単純にスピーカーボックスのバッフルボードに孔を空けて中高域用スピーカーユニットをつけたのでは、低音域用スピーカーユニットの背圧で中高音域用スピーカーユニットがうまく働かないという問題がある。このような問題を解決するために、中高音域用スピーカーユニットの背面を、低音域用スピーカーユニットと仕切り板で区切る方法が提案されている（例えば、特許文献１参照）。
【先行技術文献】
【特許文献】
【０００５】
【特許文献１】特開２００４−１４０７１２号公報
【発明の概要】
【発明が解決しようとする課題】
【０００６】
しかしながら、特許文献１では、スピーカーボックスの内部を仕切るための新たな部材としての仕切り板が必要となり、複雑な構造になっていた。このため工数がかかりコストがかさむといった問題があった。
【０００７】
本発明では、ケルトン式の低音域用スピーカーユニットに、容易に中高音域用スピーカーユニットを追加でき、部品点数の増加が無く、工数のかからない、かつコストの上昇を抑えられるスピーカーシステムを提供することを目的とする。
【課題を解決するための手段】
【０００８】
上述した目的を達成するべく、本発明に係るスピーカーシステムは、低音域用スピーカーユニットと中高音域用スピーカーユニットとを備えたケルトン式のスピーカーシステムであって、前記低音域用スピーカーユニットの密封室と空気室との仕切り板と、前記密封室および前記空気室と前記中高音域用スピーカーユニットとの仕切り板とが一つの部材で形成されていることを特徴とする。
【０００９】
低音域用スピーカーユニットの密封室と空気室との仕切り板と、密封室および空気室と中高音域用スピーカーユニットとの仕切り板とが一つの部材で形成されているので、部品点数、工数、コストの削減が可能で、小型であっても低域から高域までの広い帯域を再生可能なスピーカーシステムを提供できる。
【００１０】
また、本発明に係るスピーカーシステムは、前記仕切り板は、前記低音域用スピーカーユニットの構成部材が、直接取り付けられる構造をしていることを特徴とする。
【００１１】
仕切り板が、低音域用スピーカーユニットの取り付け部材を兼ねているので、部品点数がより少なくなり、工数、コストの削減がより可能なスピーカーシステムを提供できる。
【発明の効果】
【００１２】
上記のスピーカーシステムによれば、小型のケルトンタイプのスピーカーシステムに容易に中高域スピーカーユニットを加えることが可能になる。また、部品点数、工数、コストの削減が可能になる。さらに、小型であっても低域から高域までの広い帯域を再生可能なスピーカーシステムを提供できる。
【図面の簡単な説明】
【００１３】
【図１】第１実施形態におけるスピーカーシステムを示す、（ａ）は縦断面図、（ｂ）は横断面図。
【図２】仕切り板ガイド付近の断面図。
【図３】変形例１におけるスピーカーシステムを示す、（ａ）は縦断面図、（ｂ）は横断面図。
【図４】変形例２におけるスピーカーシステムを示す、（ａ）は縦断面図、（ｂ）は横断面図。
【発明を実施するための形態】
【００１４】
以下に、本発明のスピーカーシステムを、実施形態および変形例を挙げて、図面を参照しながら詳しく述べる。
図１は、実施形態のスピーカーシステム１００を示す概略構成図である。（ａ）は、縦断面図、（ｂ）は横断面図である。
図１において、スピーカーシステム１００は、スピーカーボックス１０とケルトン式の低音域用スピーカーユニット２０と中高音域用スピーカーユニット３０とを備えている。
スピーカーボックス１０に、低音域用スピーカーユニット２０と中高音域用スピーカーユニット３０とが組み込まれる。スピーカーボックス１０は、例えば、熱可塑性樹脂による射出成形によって形成することができる。
【００１５】
低音域用スピーカーユニット２０および中高音域用スピーカーユニット３０は、内磁型であってもよいし、外磁型であってもよい。
また、低音域用スピーカーユニット２０の振動板の形状は、円形、楕円、コーン型、平板型のいずれであってもよい。実施形態の低音域用スピーカーユニット２０の振動板の形状は、楕円のものを用いた。
また、中高音域用スピーカーユニット３０は、コーン型でもドーム型でもよい。
【００１６】
低音域用スピーカーユニット２０の前面は、密封室２１に面し、低音域用スピーカーユニット２０の背面は、空気室２３に面している。空気室２３は、スピーカーボックス１０に設けられた共振ダクト２２によってスピーカーボックス１０の外部と連通している。密封室２１と空気室２３とは、仕切り板４０によって仕切られ、低音域用スピーカーユニット２０は、仕切り板４０に取り付けられている。
【００１７】
実施形態では、中高音域用スピーカーユニット３０は、スピーカーボックス１０に開けられた開口部３１に取り付けられている。その前面は、開口部３１からスピーカーボックス１０の外部に向けられている。中高音域用スピーカーユニット３０の背面は、空気室２３とスピーカーボックス１０との間の空間３３に面している。
【００１８】
空気室２３と空間３３とは、仕切り板４０によって仕切られている。ここで、低音域用スピーカーユニット２０の密封室２１と空気室２３との仕切り板と、密封室２１および空気室２３と中高音域用スピーカーユニット３０との仕切り板とが一つの部材である仕切り板４０で形成されている。また、仕切り板４０によって、スピーカーボックス１０の内部は、密封室２１と空気室２３と空間３３とに３分割されている。
中高音域用スピーカーユニット３０の磁気回路部３４は、仕切り板４０と離れていてもよいし、接触していてもよい。
【００１９】
仕切り板４０の端部は、スピーカーボックス１０に設けられた仕切り板ガイド１１にはめ込まれている。仕切り板４０は、例えば、熱可塑性樹脂による射出成形によって形成することができる。
【００２０】
仕切り板４０は、圧接によってスピーカーボックス１０の内壁に密着するが、密閉度が不十分な場合は、仕切り板ガイド１１と仕切り板４０との間に接着剤５０を追加しても良い。
【００２１】
図２に、仕切り板ガイド１１と仕切り板４０との間に接着剤５０を追加した場合の仕切り板ガイド１１付近の断面図を示した。
図２において、密閉度を上げるために、仕切り板４０の端部にテーパー４０１をつけて、仕切り板ガイド１１内部に接着剤５０を流し込む。テーパー４０１を設けることによって、接着剤５０の流動性、浸透性がよくなる。
【００２２】
低音域用スピーカーユニット２０と中高音域用スピーカーユニット３０とを、スピーカーボックス１０の外部への配線を行い、スピーカーボックス１０を閉じるための部材を取り付ければ、中高音域用スピーカーユニット３０付きのケルトン式のスピーカーシステム１００が完成する。
【００２３】
低音域用スピーカーユニット２０の密封室２１と空気室２３との仕切り板と、密封室２１および空気室２３と中高音域用スピーカーユニット３０との仕切り板とが一つの部材である仕切り板４０で形成されているので、部品点数、工数、コストの削減が可能で、小型であっても低音域から高音域までの広い帯域を再生可能なスピーカーシステム１００を提供できる。
【００２４】
仕切り板４０は、低音域用スピーカーユニット２０の構成部材である振動板２４の付いたエッジ２４０とダンパー２５と磁気回路２６と図示しない端子とを直接取り付けられる構造を兼ねているので、部品点数がより少なくなり、工数、コストの削減がより可能なスピーカーシステム１００を提供できる。
【００２５】
（変形例１）
図３は、本変形例のスピーカーシステム２００を示す概略構成図である。（ａ）は、縦断面図、（ｂ）は横断面図である。
本変形例の仕切り板４１の形状は、実施形態の仕切り板４０の形状と異なる。その他の部材、構成要素には実施形態と同じ符号を付した。
実施形態では、中高音域用スピーカーユニット３０の背面は、空気室２３とスピーカーボックス１０との間の空間３３に面していたが、本変形例では、仕切り板４１によって、密封室２１とスピーカーボックス１０との間に設けられた空間３５に面している。
【００２６】
（変形例２）
図４は、本変形例のスピーカーシステム３００を示す概略構成図である。（ａ）は、縦断面図、（ｂ）は横断面図である。
本変形例の仕切り板４２の形状と実施形態の仕切り板４０との形状が異なる。その他の部材、構成要素には実施形態と同じ符号を付した。
実施形態では、中高音域用スピーカーユニット３０の背面は、空気室２３とスピーカーボックス１０との間の空間３３に面していたが、本変形例では、仕切り板４２によって、密封室２１および空気室２３とスピーカーボックス１０との間に設けられた空間３６に面している。
【００２７】
尚、本発明は上述した実施形態および変形例に限定されるものではない。例えば、例として挙げた仕切り板４０，４１，４２の形状はこれらに限られず、スピーカーボックス１０の内部を３分割する形状であればよい。
また、共振ダクト２２は低音域用スピーカーユニット２０の前面にあってもよいし、低音域用スピーカーユニット２０の前面と背面の両方にあってもよい。
また、その他、本発明はその要旨を逸脱しない範囲で種々変形して実施可能である。
【符号の説明】
【００２８】
１０：スピーカーボックス、１１：仕切り板ガイド、２０：低音域用スピーカーユニット、２１：密封室、２２：共振ダクト、２３：空気室、２４：振動板、２５：ダンパー、２６：磁気回路、３０：中高音域用スピーカーユニット、３１：開口部、３３，３５，３６：空間、３４：磁気回路部、４０，４１，４２：仕切り板、４０１：テーパー、５０：接着剤、１００，２００，３００：スピーカーシステム、２４０：エッジ。
【図１】
2013150126.tif 000003
【図２】
2013150126.tif 000004
【図３】
2013150126.tif 000005
【図４】
2013150126.tif 000006